(57)【要約】【課題】テレビ放送信号を放送チャンネル毎に処理して端末側に出力するヘッドエンド装置を、端末側の伝送線路が同軸／光の何れであっても使用できるようにする。【解決手段】ヘッドエンド１０のケース１２内には、出力ユニット６０を着脱自在に装着するためのスペースが設けられており、このスペースに、同軸型出力ユニット６０ａ、光型出力ユニット６０ｂ、光・同軸型出力ユニット６０ｃのいずれかを収納することにより、ヘッドエンド１０は、同軸出力型、光出力型、或いは光・同軸出力兼用のヘッドエンド装置として機能させることができる。また、内部の出力混合部４０には、出力ユニット６０が装着された際に、出力ユニット６０の底部に設けられた各端子６２、６４、６６と嵌合して電気的に接続されることにより、伝送信号、制御信号及び電源電圧を出力ユニット６０に入力する端子５２、５４、５６が設けられている。【選択図】図１
2009177235.tif 000002
【特許請求の範囲】
【請求項１】
テレビ放送電波を受信する受信アンテナからの受信信号を受けて、その受信信号に含まれるテレビ放送信号を放送チャンネル毎に処理する複数の放送信号処理手段と、
該複数の放送信号処理手段にて処理された各放送チャンネルのテレビ放送信号を混合し、端末側への伝送信号として出力する混合手段と、
該混合手段から出力された伝送信号を所定レベルまで増幅し、該増幅後の伝送信号を端末側の伝送線路上に出力する伝送信号出力手段と、
前記複数の放送信号処理手段及び前記伝送信号出力手段に電源供給を行う電源供給手段と、
を一つの筐体内に収納してなるヘッドエンド装置であって、
前記筐体には、前記伝送線路として同軸ケーブル及び光ケーブルを夫々接続可能な同軸コネクタ及び光コネクタを装着するための同軸コネクタ装着部及び光コネクタ装着部が形成されており、
前記筐体内部には、前記伝送信号出力手段として、
前記混合手段からの伝送信号を増幅し、該増幅後の伝送信号を前記同軸コネクタへ出力可能な同軸型出力ユニットと、
前記混合手段からの伝送信号を増幅して光信号に変換し、該変換後の光信号を前記光コネクタへ出力可能な光型出力ユニットと、
前記混合手段にて混合された伝送信号を２分配する分配回路、該分配回路にて分配された一方の伝送信号を増幅し、該増幅後の伝送信号を前記同軸コネクタへ出力可能な同軸出力回路、及び、前記分配回路にて分配された他方の伝送信号を増幅して光信号に変換し、該変換後の光信号を前記光コネクタへ出力可能な光出力回路、を備えた光・同軸型出力ユニットと、
の一つを着脱自在に装着可能な出力ユニット装着部が設けられていることを特徴とするヘッドエンド装置。
【請求項２】
テレビ放送電波を受信する受信アンテナからの受信信号を受けて、その受信信号に含まれるテレビ放送信号を放送チャンネル毎に処理する複数の放送信号処理手段と、
該複数の放送信号処理手段にて処理された各放送チャンネルのテレビ放送信号を混合し、端末側への伝送信号として出力する混合手段と、
該混合手段から出力された伝送信号を所定レベルまで増幅し、該増幅後の伝送信号を端末側の伝送線路上に出力する伝送信号出力手段と、
前記複数の放送信号処理手段及び前記伝送信号出力手段に電源供給を行う電源供給手段と、
を一つの筐体内に収納してなるヘッドエンド装置であって、
前記筐体には、前記伝送線路として同軸ケーブルを接続するための同軸コネクタが装着されると共に、該同軸ケーブルとは異なる伝送線路である光ケーブルを接続するための光コネクタを装着可能な光コネクタ装着部が形成されており、
前記伝送信号出力手段には、
前記混合手段にて混合された伝送信号を２分配する分配回路と、
該分配回路にて分配された一方の伝送信号を増幅し、該増幅後の伝送信号を前記同軸コネクタへ出力する同軸出力回路と、
前記分配回路にて分配された他方の伝送信号を増幅して光信号に変換し、該変換後の光信号を前記光コネクタへ出力可能な光型出力ユニット、を装着するための出力ユニット装着部と、
が設けられていることを特徴とするヘッドエンド装置。
【請求項３】
テレビ放送電波を受信する受信アンテナからの受信信号を受けて、その受信信号に含まれるテレビ放送信号を放送チャンネル毎に処理する複数の放送信号処理手段と、
該複数の放送信号処理手段にて処理された各放送チャンネルのテレビ放送信号を混合し、端末側への伝送信号として出力する混合手段と、
該混合手段から出力された伝送信号を所定レベルまで増幅し、該増幅後の伝送信号を端末側の伝送線路上に出力する伝送信号出力手段と、
前記複数の放送信号処理手段及び前記伝送信号出力手段に電源供給を行う電源供給手段と、
を一つの筐体内に収納してなるヘッドエンド装置であって、
前記筐体には、前記伝送線路として光ケーブルを接続するための光コネクタが装着されると共に、該光ケーブルとは異なる伝送線路である同軸ケーブルを接続するための同軸コネクタを装着可能な同軸コネクタ装着部が形成されており、
前記伝送信号出力手段には、
前記混合手段にて混合された伝送信号を２分配する分配回路と、
該分配回路にて分配された一方の伝送信号を増幅して光信号に変換し、該変換後の光信号を前記光コネクタへ出力する光出力回路と、
前記分配回路にて分配された他方の伝送信号を増幅し、該増幅後の伝送信号を前記同軸コネクタへ出力可能な同軸型出力ユニット、を装着するための出力ユニット装着部と、
が設けられていることを特徴とするヘッドエンド装置。
【請求項４】
前記伝送信号出力手段において、前記分配回路の２つの出力端子の内、前記出力ユニット装着部に装着された出力ユニットに伝送信号を出力する出力端子には、
当該出力端子を前記出力ユニットに接続するか、或いは、当該出力端子に終端抵抗を接続することにより当該出力端子を所定の伝送インピーダンスで終端するかを切り換える切換スイッチが設けられていることを特徴とする請求項２又は請求項３に記載のヘッドエンド装置。
【請求項５】
前記伝送信号出力手段には、前記混合手段から出力された伝送信号を前記分配回路に入力するか前記出力回路に入力するかを切り換える切換スイッチが設けられていることを特徴とする請求項２又は請求項３に記載のヘッドエンド装置。
【請求項６】
前記出力ユニット装着部には、当該出力ユニット装着部に出力ユニットを装着した際、該出力ユニットの伝送信号入力端子及び電源電圧入力端子にそれぞれ接続されて、前記混合手段から入力された伝送信号及び前記電源供給手段から供給された電源電圧を出力する伝送信号出力端子及び電源出力端子が設けられていることを特徴とする請求項１〜請求項５の何れかに記載のヘッドエンド装置。
【請求項７】
テレビ放送電波を受信する受信アンテナと、
該受信アンテナから受信信号を受けて、該受信信号に含まれるテレビ放送信号を放送チャンネル毎に処理すると共に、該処理後のテレビ放送信号を混合して、端末側の伝送線路へと出力するヘッドエンド装置と、
前記テレビ放送電波が届かない難視聴地域に設置され、前記伝送線路を介して前記ヘッドエンド装置から伝送されてきたテレビ放送信号を再送信する送信アンテナと、
を備えたテレビ放送再送信システムであって、
前記ヘッドエンド装置は、請求項１〜請求項６の何れかに記載のヘッドエンド装置からなることを特徴とするテレビ放送再送信システム。
【発明の詳細な説明】
【技術分野】
【０００１】
本発明は、テレビ放送電波を受信する受信アンテナから受信信号を受けて、その受信信号に含まれるテレビ放送信号を放送チャンネル毎に処理し、端末側に出力するヘッドエンド装置、及び、そのヘッドエンド装置を備えたテレビ放送再送信システムに関する。
【背景技術】
【０００２】
従来、放送局から送信されたテレビ放送電波が届かない難視聴地域でテレビ放送信号を配信するシステムとして、テレビ放送電波を受信可能な場所に受信アンテナを設置し、この受信アンテナからの受信信号をヘッドエンド装置に入力することで、ヘッドエンド装置にて、受信信号に含まれるテレビ放送信号（詳しくはその信号レベル等）を放送チャンネル毎に処理し、信号処理後のテレビ放送信号を、伝送線路を介して端末側の送信アンテナまで伝送することで、送信アンテナからテレビ放送電波を再送信するように構成されたテレビ放送再送信システムが知られている（例えば、特許文献１等参照）。
【特許文献１】特開２００４−４８１４１号公報
【発明の開示】
【発明が解決しようとする課題】
【０００３】
この種のテレビ放送再送信システムでは、ヘッドエンド装置から送信アンテナへテレビ放送信号を伝送する伝送線路として、同軸ケーブルが使用されることから、ヘッドエンド装置と送信アンテナとの距離が長くなると、同軸ケーブルでのテレビ放送信号の減衰量が多くなり、送信アンテナに所望レベルのテレビ放送信号を供給することができなくなる。
【０００４】
このため、このような場合には、伝送経路上に増幅器を設け、この増幅器で伝送信号（つまりテレビ放送信号）を増幅しつつ、テレビ放送信号を送信アンテナまで伝送することになるが、このようにテレビ放送信号のレベル低下を補うために増幅器を用いると、送信アンテナから再送信されるテレビ放送信号の品質（Ｃ／Ｎ等）が低下するという問題があった。
【０００５】
一方、こうした問題を防止するには、伝送線路として、テレビ放送信号を低損失で伝送し得る光ケーブルを使用することが考えられる。
しかし、従来のヘッドエンド装置は、通常、信号処理後のテレビ放送信号（つまり伝送信号）を、電気信号の状態で同軸ケーブルに出力するよう構成されており、光信号を出力することができない。
【０００６】
このため、ヘッドエンド装置から送信アンテナまで光ケーブルを介してテレビ放送信号を伝送するには、ヘッドエンド装置の出力に電気−光変換器を内蔵した光送信機を別途設けて、伝送信号を光信号に変換する必要があり、設置工事が面倒になるという問題があった。
【０００７】
また、この問題は、ヘッドエンド装置として、光送信機を内蔵した光出力型のヘッドエンド装置を使用するようにすれば解決できるが、光出力型のヘッドエンド装置は、テレビ放送信号を同軸ケーブルで伝送するシステムでは使用することができない。
【０００８】
従って、上記のような対策では、テレビ放送再送信システムを構築する際、伝送線路を同軸ケーブルにするか光ケーブルにするかによって、使用するヘッドエンド装置を同軸出力用にするか光出力用にするかを選択しなければならず、また、システムの仕様変更に伴い伝送線路の変更、追加等を行う際には、それに応じてヘッドエンド装置を交換しなければならないという問題があった。
【０００９】
本発明は、こうした問題に鑑みなされたものであり、受信信号中のテレビ放送信号を放送チャンネル毎に処理して端末側に出力するヘッドエンド装置を、テレビ放送信号の伝送線路が同軸ケーブル／光ケーブルの何れであっても使用できるようにすることを目的とする。
【課題を解決するための手段】
【００１０】
かかる目的を達成するためになされた請求項１に記載の発明は、テレビ放送電波を受信する受信アンテナからの受信信号を受けて、その受信信号に含まれるテレビ放送信号を放送チャンネル毎に処理する複数の放送信号処理手段と、該複数の放送信号処理手段にて処理された各放送チャンネルのテレビ放送信号を混合し、端末側への伝送信号として出力する混合手段と、該混合手段から出力された伝送信号を所定レベルまで増幅し、該増幅後の伝送信号を端末側の伝送線路上に出力する伝送信号出力手段と、前記複数の放送信号処理手段及び前記伝送信号出力手段に電源供給を行う電源供給手段と、を一つの筐体内に収納してなるヘッドエンド装置であって、
前記筐体には、前記伝送線路として同軸ケーブル及び光ケーブルを夫々接続可能な同軸コネクタ及び光コネクタを装着するための同軸コネクタ装着部及び光コネクタ装着部が形成されており、
前記筐体内部には、前記伝送信号出力手段として、
前記混合手段からの伝送信号を増幅し、該増幅後の伝送信号を前記同軸コネクタへ出力可能な同軸型出力ユニットと、
前記混合手段からの伝送信号を増幅して光信号に変換し、該変換後の光信号を前記光コネクタへ出力可能な光型出力ユニットと、
前記混合手段にて混合された伝送信号を２分配する分配回路、該分配回路にて分配された一方の伝送信号を増幅し、該増幅後の伝送信号を前記同軸コネクタへ出力可能な同軸出力回路、及び、前記分配回路にて分配された他方の伝送信号を増幅して光信号に変換し、該変換後の光信号を前記光コネクタへ出力可能な光出力回路、を備えた光・同軸型出力ユニットと、
の一つを着脱自在に装着可能な出力ユニット装着部が設けられていることを特徴とする。
【００１１】
また、請求項２に記載の発明は、テレビ放送電波を受信する受信アンテナからの受信信号を受けて、その受信信号に含まれるテレビ放送信号を放送チャンネル毎に処理する複数の放送信号処理手段と、該複数の放送信号処理手段にて処理された各放送チャンネルのテレビ放送信号を混合し、端末側への伝送信号として出力する混合手段と、該混合手段から出力された伝送信号を所定レベルまで増幅し、該増幅後の伝送信号を端末側の伝送線路上に出力する伝送信号出力手段と、前記複数の放送信号処理手段及び前記伝送信号出力手段に電源供給を行う電源供給手段と、を一つの筐体内に収納してなるヘッドエンド装置であって、
前記筐体には、前記伝送線路として同軸ケーブルを接続するための同軸コネクタが装着されると共に、該同軸ケーブルとは異なる伝送線路である光ケーブルを接続するための光コネクタを装着可能な光コネクタ装着部が形成されており、
前記伝送信号出力手段には、
前記混合手段にて混合された伝送信号を２分配する分配回路と、
該分配回路にて分配された一方の伝送信号を増幅し、該増幅後の伝送信号を前記同軸コネクタへ出力する同軸出力回路と、
前記分配回路にて分配された他方の伝送信号を増幅して光信号に変換し、該変換後の光信号を前記光コネクタへ出力可能な光型出力ユニット、を装着するための出力ユニット装着部と、
が設けられていることを特徴とする。
【００１２】
また、請求項３に記載の発明は、テレビ放送電波を受信する受信アンテナからの受信信号を受けて、その受信信号に含まれるテレビ放送信号を放送チャンネル毎に処理する複数の放送信号処理手段と、該複数の放送信号処理手段にて処理された各放送チャンネルのテレビ放送信号を混合し、端末側への伝送信号として出力する混合手段と、該混合手段から出力された伝送信号を所定レベルまで増幅し、該増幅後の伝送信号を端末側の伝送線路上に出力する伝送信号出力手段と、前記複数の放送信号処理手段及び前記伝送信号出力手段に電源供給を行う電源供給手段と、を一つの筐体内に収納してなるヘッドエンド装置であって、
前記筐体には、前記伝送線路として光ケーブルを接続するための光コネクタが装着されると共に、該光ケーブルとは異なる伝送線路である同軸ケーブルを接続するための同軸コネクタを装着可能な同軸コネクタ装着部が形成されており、
前記伝送信号出力手段には、
前記混合手段にて混合された伝送信号を２分配する分配回路と、
該分配回路にて分配された一方の伝送信号を増幅して光信号に変換し、該変換後の光信号を前記光コネクタへ出力する光出力回路と、
前記分配回路にて分配された他方の伝送信号を増幅し、該増幅後の伝送信号を前記同軸コネクタへ出力可能な同軸型出力ユニット、を装着するための出力ユニット装着部と、
が設けられていることを特徴とする。
【００１３】
次に、請求項４に記載の発明は、請求項２又は請求項３に記載のヘッドエンド装置において、前記伝送信号出力手段に設けられた分配回路の２つの出力端子の内、前記出力ユニット装着部に装着された出力ユニットに伝送信号を出力する出力端子には、当該出力端子を前記出力ユニットに接続するか、或いは、当該出力端子に終端抵抗を接続することにより当該出力端子を所定の伝送インピーダンスで終端するかを切り換える切換スイッチが設けられていることを特徴とする。
【００１４】
また、請求項５に記載の発明は、請求項２又は請求項３に記載のヘッドエンド装置において、前記伝送信号出力手段には、前記混合手段から出力された伝送信号を前記分配回路に入力するか前記出力回路に入力するかを切り換える切換スイッチが設けられていることを特徴とする。
【００１５】
また次に、請求項６に記載の発明は、請求項１〜請求項５の何れかに記載のヘッドエンド装置において、前記出力ユニット装着部には、当該出力ユニット装着部に出力ユニットを装着した際、該出力ユニットの伝送信号入力端子及び電源電圧入力端子にそれぞれ接続されて、前記混合手段から入力された伝送信号及び前記電源供給手段から供給された電源電圧を出力する伝送信号出力端子及び電源出力端子が設けられていることを特徴とする。
【００１６】
一方、請求項７に記載の発明は、テレビ放送電波を受信する受信アンテナと、該受信アンテナから受信信号を受けて、該受信信号に含まれるテレビ放送信号を放送チャンネル毎に処理すると共に、該処理後のテレビ放送信号を混合して、端末側の伝送線路へと出力する信号処理装置と、前記テレビ放送電波が届かない難視聴地域に設置され、前記伝送線路を介して前記ヘッドエンド装置から伝送されてきたテレビ放送信号を再送信する送信アンテナと、を備えたテレビ放送再送信システムであって、前記信号処理装置として、請求項１〜請求項６の何れかに記載のヘッドエンド装置を備えたことを特徴とする。
【発明の効果】
【００１７】
請求項１に記載のヘッドエンド装置においては、筐体に、同軸コネクタ装着部及び光コネクタ装着部が形成されており、筐体内部には、伝送信号出力手段として、同軸型出力ユニットと、光型出力ユニットと、光・同軸型出力ユニットとの何れかを装着可能な出力ユニット装着部が設けられている。
【００１８】
このため、本発明のヘッドエンド装置によれば、筐体内に設ける出力ユニットを適宜選択することで、端末側の伝送線路が同軸ケーブルであっても、光ケーブルであっても、或いは、その両方のケーブルであっても使用することができるようになり、従来のヘッドエンド装置に比べ用途を拡大できる。よって、本発明によれば、ヘッドエンド装置の量産化を図り、そのコストを低減することができる。また、システムの仕様変更に伴い伝送線路の変更、追加等を行う際には、内部の出力ユニットを交換するだけで対応できるため、システムの仕様変更等も低コストで実現できる。
【００１９】
次に、請求項２に記載のヘッドエンド装置においては、混合手段から出力された伝送信号を増幅して端末側の伝送線路上に出力する伝送信号出力手段が、混合手段にて混合された伝送信号を２分配する分配回路と、その分配回路にて分配された一方の伝送信号を増幅して同軸コネクタへ出力する同軸出力回路と、分配回路にて分配された他方の伝送信号を増幅して光信号に変換し光コネクタへ出力する光型出力ユニットを装着するための出力ユニット装着部と、から構成されている。
【００２０】
このため、本発明のヘッドエンド装置によれば、伝送信号出力手段に設けられた出力ユニット装着部に光型出力ユニットが装着されていないときには、同軸コネクタを介して端末側の同軸ケーブルに伝送信号を出力する同軸出力型のヘッドエンド装置として利用でき、伝送信号出力手段に設けられた出力ユニット装着部に光型出力ユニットを装着して、この光型出力ユニットから出力される光信号を筐体に装着した光コネクタを介して端末側の光ケーブルに出力するようにすれば、光・同軸出力兼用のヘッドエンド装置として利用できる。
【００２１】
従って、本発明のヘッドエンド装置によれば、請求項１に記載のものと同様、端末側の伝送線路が同軸ケーブルであっても、光ケーブルであっても、或いは、その両方のケーブルであっても使用することができるようになり、従来のヘッドエンド装置に比べ用途を拡大できる。また、ヘッドエンド装置の量産化を図り、そのコストを低減することもできる。
【００２２】
また、本発明のヘッドエンド装置は、端末側の伝送線路が同軸ケーブルのシステムで同軸出力型のヘッドエンド装置として使用されているとき、そのシステムで、端末側の伝送線路を光ケーブルに変更するとか、端末側の伝送線路として光ケーブルを追加するといった仕様変更があった場合には、筐体内に光型出力ユニットを設けるだけでよいため、こうしたシステムの仕様変更等も低コストで実現できる。
【００２３】
次に、請求項３に記載のヘッドエンド装置においては、混合手段から出力された伝送信号を増幅して端末側の伝送線路上に出力する伝送信号出力手段が、混合手段にて混合された伝送信号を２分配する分配回路と、その分配回路にて分配された一方の伝送信号を増幅して光信号に変換し、その変換後の光信号を光コネクタへ出力する光出力回路と、分配回路にて分配された他方の伝送信号を増幅して同軸コネクタへ出力する同軸型出力ユニットを装着するための出力ユニット装着部と、から構成されている。
【００２４】
このため、本発明のヘッドエンド装置によれば、伝送信号出力手段に設けられた出力ユニット装着部に同軸型出力ユニットが装着されていないときには、光コネクタを介して端末側の光ケーブルに伝送信号を出力する光出力型のヘッドエンド装置として利用でき、伝送信号出力手段に設けられた出力ユニット装着部に同軸型出力ユニットを装着して、この同軸型出力ユニットから出力される伝送信号（電気信号）を筐体に装着した同軸コネクタを介して端末側の同軸ケーブルに出力するようにすれば、光・同軸出力兼用のヘッドエンド装置として利用できる。
【００２５】
従って、本発明のヘッドエンド装置によれば、請求項１、２に記載のものと同様、端末側の伝送線路が同軸ケーブルであっても、光ケーブルであっても、或いは、その両方のケーブルであっても使用することができるようになり、従来のヘッドエンド装置に比べ用途を拡大できる。また、ヘッドエンド装置の量産化を図り、そのコストを低減することもできる。
【００２６】
また、本発明のヘッドエンド装置は、端末側の伝送線路が光ケーブルのシステムで光出力型のヘッドエンド装置として使用されているとき、そのシステムで、端末側の伝送線路を同軸ケーブルに変更するとか、端末側の伝送線路として同軸ケーブルを追加するといった仕様変更があった場合には、筐体内に同軸型出力ユニットを設けるだけでよいため、こうしたシステムの仕様変更等も低コストで実現できる。
【００２７】
次に、請求項４に記載のヘッドエンド装置においては、伝送信号出力手段に設けられた分配回路の２つの出力端子の内、出力ユニット装着部に装着された出力ユニット（光型出力ユニット又は同軸型出力ユニット）に伝送信号を出力する出力端子には、出力端子を出力ユニットに接続するか、或いは、出力端子に終端抵抗を接続することにより出力端子を所定の伝送インピーダンスで終端するかを切り換える切換スイッチが設けられている。
【００２８】
このため、請求項４に記載のヘッドエンド装置によれば、分配回路にて分配された伝送信号を出力ユニット装着部に装着された出力ユニット（光型出力ユニット又は同軸型出力ユニット）に入力するか、或いは、分配回路の出力ユニット側の出力端子を終端するかを切り換えることができるようになり、例えば、出力ユニット装着部に出力ユニット（光型出力ユニット又は同軸型出力ユニット）が装着されていないときに、分配回路の出力ユニット側の出力端子を終端抵抗で終端することにより、その出力端子からの伝送信号の反射、或いは、漏洩によって、出力回路（同軸出力回路又は光出力回路）から端末側に出力される伝送信号が劣化するのを防止できる。
【００２９】
また次に、請求項５に記載のヘッドエンド装置においては、混合手段から出力された伝送信号を分配回路に入力するか出力回路に入力するかを切り換える切換スイッチが設けられているため、出力ユニット装着部に出力ユニット（光型出力ユニット又は同軸型出力ユニット）が装着されていないときに、伝送信号を分配回路に入力することなく、直接出力回路（同軸出力回路又は光出力回路）に入力することができるようになる。
【００３０】
よって、このヘッドエンド装置においても、請求項４に記載のものと同様、出力ユニット装着部に出力ユニット（光型出力ユニット又は同軸型出力ユニット）が装着されていないときに、分配回路の出力ユニット側の出力端子からの伝送信号の反射、或いは、漏洩によって、出力回路（同軸出力回路又は光出力回路）から端末側に出力される伝送信号が劣化するのを防止することができる。
【００３１】
また、請求項６に記載のヘッドエンド装置においては、出力ユニット装着部に伝送信号出力端子及び電源出力端子が設けられており、出力ユニット装着部に出力ユニットを装着すると、これら各端子が出力ユニットの伝送信号入力端子及び電源電圧入力端子に接続されて、出力ユニットに伝送信号及び電源電圧が入力される。
【００３２】
このため、請求項６に記載のヘッドエンド装置によれば、出力ユニット装着部に出力ユニットを装着した際に、出力ユニットに伝送信号や電源電圧を入力するための信号線接続作業を行う必要がなく、出力ユニットの装着作業を簡単に行うことができるようになる。
【００３３】
一方、請求項７に記載のテレビ放送再送信システムにおいては、テレビ放送電波を受信する受信アンテナからの受信信号がヘッドエンド装置に入力され、ヘッドエンド装置にて、その受信信号に含まれるテレビ放送信号が放送チャンネル毎に処理される。そして、その処理後のテレビ放送信号は、ヘッドエンド装置内で混合されて、端末側の伝送線路へと出力される。また、この伝送線路は、テレビ放送電波が届かない難視聴地域に設置された送信アンテナに接続されており、送信アンテナからは、伝送線路を介してヘッドエンド装置から伝送されてきたテレビ放送信号が再送信される。
【００３４】
このため、請求項７に記載のテレビ放送再送信システムによれば、放送局から送信されたテレビ放送電波が届かない難視聴地域で、テレビ放送信号を無線にて再送信することができ、テレビ放送の難視聴対策を行うことができる。
【００３５】
そして、このテレビ放送再送信システムにおいて、ヘッドエンド装置には、本発明（請求項１〜請求項６）のヘッドエンド装置が使用されることから、端末側の伝送線路が同軸ケーブルであっても、光ケーブルであっても、或いは、その両方のケーブルであっても共通のヘッドエンド装置を使用することができ、しかも、仕様変更によって伝送線路の種別が変更或いは追加されても、ヘッドエンド装置内の出力ユニットを交換或いは追加するだけで対応できる。よって、本発明のテレビ放送再送信システムは、従来システムに比べて、ヘッドエンド装置にかかるコストを低減することができる。
【発明を実施するための最良の形態】
【００３６】
以下に、本発明の実施形態を図面と共に説明する。
図１は、実施形態のヘッドエンド装置（以下、単にヘッドエンドという）１０の概略構成を表す構成図であり、図２は、図１におけるＡ−Ａ線断面図である。
【００３７】
本実施形態のヘッドエンド１０は、例えば地上デジタル放送の放送電波を受信する受信アンテナ（ＵＨＦアンテナ）の設置点近傍に設けられ、受信アンテナからの受信信号を取り込み、その受信信号に含まれるテレビ放送信号を放送チャンネル毎に処理することで、各テレビ放送信号の信号レベルを適正レベルに設定し、その信号処理後の各放送チャンネルのテレビ放送信号を混合して、端末側の伝送線路上に出力するためのものである。
【００３８】
このため、ヘッドエンド１０は、放送チャンネル毎にテレビ放送信号を処理するための複数のチャンネルプロセッサ３０、受信アンテナからの受信信号を複数に分配して各チャンネルプロセッサ３０に入力する入力部２０、各チャンネルプロセッサ２０から出力される信号処理後のテレビ放送信号を混合する出力混合部４０、及び、電源コード１９を介して外部電源（商用電源等）から電源供給を受けることにより動作し、チャンネルプロセッサ３０等の内部機器を動作させるための電源電圧（直流定電圧）を生成する電源部４５を備え、これら各部を、防水型で矩形の金属ケース（筐体、以下単にケースという）１２内に収納することにより構成されている。
【００３９】
なお、図１、２は、ケース１２内に収納された上記各部の配置状態を表すために、ケース１２のカバー（蓋）を取り外した状態を表している。そして、図１、２から明らかなように、入力部２０及び電源部４５は、ケース１２の開口部周囲の側壁に沿って配置され、複数のチャンネルプロセッサ３０は、ケース１２の開口部中央に並んで配置され、出力混合部４０は、チャンネルプロセッサ３０が並設された部分の奥（換言すればケース１２の底部）に配置されている。
【００４０】
また、チャンネルプロセッサ３０は、矩形で細長い筐体内に収納されており、その長手方向両端が、ケース１２内に立設された固定部１２ａ、１２ｂに固定されることにより、出力混合部４０の上方に配置されている。
【００４１】
また、入力部２０が配置されたケース１２の側壁には、受信アンテナからの受信信号を入力部２０に入力するための同軸コネクタ１４と、出力混合部４０で混合された複数チャンネル分のテレビ放送信号を、電気信号のまま、端末側の伝送線路である同軸ケーブルに出力するための同軸コネクタ１６と、同じく出力混合部４０で混合された複数チャンネル分のテレビ放送信号を、光信号に変換して、端末側の伝送線路である光ケーブルに出力するための光コネクタ１８と、が装着されている。
【００４２】
そして、ケース１２内には、出力混合部４０の上方で、且つ、チャンネルプロセッサ３０とケース１２の側壁との間に、出力ユニット装着用のスペースが設けられており、このスペースに出力ユニット６０を装着することで、出力ユニット６０を介して、出力混合部４０で混合された複数チャンネル分のテレビ放送信号（伝送信号）を増幅し、その増幅後の伝送信号を、同軸コネクタ１６若しくは光コネクタ１８から端末側の伝送線路（同軸ケーブル若しくは光ケーブル）へと送出できるようにされている。
【００４３】
すなわち、出力ユニット装着用のスペースの底部に位置する出力混合部４０の上面には、複数チャンネル分のテレビ放送信号を混合した伝送信号を出力ユニット６０に出力するための伝送信号出力端子５２、後述の制御信号を出力ユニット６０に出力するための制御信号出力端子５４、電源部４５で生成された電源電圧を出力ユニット６０に出力するための電源出力端子５６、及び、出力ユニット６０にて増幅された伝送信号（電気信号）を取り込み信号出力用の同軸コネクタ１６へ出力するための伝送信号入力端子５８、が設けられている。
【００４４】
また、図１に示すように、上記スペースに装着可能な出力ユニット６０として、同軸型出力ユニット６０ａと、光型出力ユニット６０ｂと、光・同軸型出力ユニット６０ｃとの３種類の出力ユニットが予め用意されている。
【００４５】
このうち、同軸型出力ユニット６０ａと光・同軸型出力ユニット６０ｃの底面には、上記スペースに装着した際に出力混合部４０側の各端子５２、５４、５６、５８と接続される伝送信号入力端子６２、制御信号入力端子６４、電源入力端子６６、伝送信号出力端子６８が設けられている。
【００４６】
また、光型出力ユニット６０ｂの底面には、上記スペースに装着した際に出力混合部４０側の各端子５２、５４、５６と接続される伝送信号入力端子６２、制御信号入力端子６４、電源入力端子６６が設けられている。
【００４７】
また、光型出力ユニット６０ｂと光・同軸型出力ユニット６０ｃの上面には、増幅後の伝送信号を光信号に変換して出力するための光コネクタ６９が設けられている。
そして、同軸型出力ユニット６０ａは、伝送信号入力端子６２を介して入力される伝送信号を増幅して伝送信号出力端子６８から出力することにより、増幅後の伝送信号を同軸コネクタ１６から端末側の同軸ケーブルへと送出させる。
【００４８】
また、光型出力ユニット６０ｂは、伝送信号入力端子６２を介して入力される伝送信号を増幅して光信号に変換し、光コネクタ６９から光コネクタ１８へと出力することにより、その光信号を光コネクタ１８から端末側の光ケーブルへと送出させる。
【００４９】
また、光・同軸型出力ユニット６０ｃは、伝送信号入力端子６２を介して入力される伝送信号を２分配して、一方の伝送信号を増幅して伝送信号出力端子６８から出力することにより、増幅後の伝送信号を同軸コネクタ１６から端末側の同軸ケーブルへと送出させ、他方の伝送信号を増幅して光信号に変換し、光コネクタ６９から光ケーブル１８ａ（図２（ｂ）参照）を介して光コネクタ１８へと出力することにより、その光信号を光コネクタ１８から端末側の光ケーブルへと送出させる。
【００５０】
従って、本実施形態のヘッドエンド１０においては、上記３種類の出力ユニット６０（同軸型出力ユニット６０ａ、光型出力ユニット６０ｂ、光・同軸型出力ユニット６０ｃ）の中から、上記スペースに装着する出力ユニット６０を選択することにより、同軸コネクタ１６から伝送信号（電気信号）を出力する同軸出力型のヘッドエンド装置としても、光コネクタ１８から伝送信号（光信号）を出力する光出力型のヘッドエンド装置としても、或いは、同軸コネクタ１６及び光コネクタ１８から伝送信号（電気信号及び光信号）を各々出力する光・同軸出力型のヘッドエンド装置としても、使用することができる。
【００５１】
なお、上記各出力ユニット６０（同軸型出力ユニット６０ａ、光型出力ユニット６０ｂ、光・同軸型出力ユニット６０ｃ）は、チャンネルプロセッサ３０と略同じ長さに設定された矩形で細長い筐体内に収納されている。
【００５２】
そして、その長手方向両端には、ケース１２内に立設された固定部１２ａ、１２ｂにねじ止め固定するための固定部６１ａ、６１ｂが設けられており、この固定部６１ａ、６１ｂをケース１２内の固定部１２ａ、１２ｂにねじ止めすることにより、ケース１２内にしっかりと位置決め固定される。
【００５３】
次に、図３は上記３種類の出力ユニット６０の内、光型出力ユニット６０ｂをケース１２内に装着した際のヘッドエンド１０全体の回路構成を表すブロック図であり、図４は同軸型出力ユニット６０ａの回路構成を表すブロック図、図５は光・同軸型出力ユニット６０ｃの回路構成を表すブロック図である。
【００５４】
図３に示すように、入力部２０は、同軸コネクタ１４を介して入力された受信信号を、避雷用の保護回路２２を介して取り込み、アッテネータ等からなるレベル調整器２６や増幅回路２６を介してレベル調整した後、分配回路２８にて分配して、各チャンネルプロセッサ３０に出力するように構成されている。
【００５５】
また、各チャンネルプロセッサ３０には、処理対象となる特定放送チャンネルのテレビ放送信号を選択的に通過させるためのバンドパスフィルタ（以下、ＢＰＦと記載する）３２と、ＢＰＦ３２を通過したテレビ放送信号を処理するプロセッサユニット３４と、ＢＰＦ３２を通過したテレビ放送信号（受信信号）を、分岐回路３６を介して取り込み、その信号レベルから、テレビ放送信号の有無（つまり、特定放送チャンネルのテレビ放送がなされているか停波しているか）を判定し、停波している場合にはプロセッサユニット３４の動作を停止させる停波判定部３８とから構成されている。
【００５６】
このため、各チャンネルプロセッサ３０は、分配回路２８を介して入力される受信信号の中に処理対象となる特定放送チャンネルのテレビ放送信号が含まれている場合には、そのテレビ放送信号を処理して出力するが、受信信号に処理対象となるテレビ放送信号が含まれていない場合（つまり停波している場合）には、所謂スケルチ機能によって、自ら動作を停止して、テレビ放送信号以外の不要信号を出力するのを防止することになる。
【００５７】
そして、各チャンネルプロセッサ３０にて信号処理された各放送チャンネルのテレビ放送信号は、出力混合部４０に設けられた混合回路４２で混合された後、伝送信号出力端子５２から、光型出力ユニット６０ｂの伝送信号入力端子６２へと伝送される。
【００５８】
なお、各チャンネルプロセッサ３０に設けられた停波判定部３８による判定結果は、制御信号として出力混合部４０に出力され、出力混合部４０に設けられた制御信号出力端子５４から、光型出力ユニット６０ｂの制御信号入力端子６４へと伝送される。
【００５９】
また、電源部４５は、入力部２０、複数のチャンネルプロセッサ３０、及び、光型出力ユニット６０ｂを動作させるための各種電源電圧を生成するスイッチングレギュレータから構成されており、光型出力ユニット６０ｂには、出力混合部４０に設けられた電源出力端子５６及び光型出力ユニット６０ｂ側の電源入力端子６６を介して電源電圧が供給される。
【００６０】
次に、光型出力ユニット６０ｂには、混合回路４２から入力された伝送信号と同じ周波数帯（例えばＵＨＦ帯）で一定周波数のパイロット信号を発生する信号発生器（ＰＧ）７０ｂと、伝送信号と同じ周波数帯（例えばＵＨＦ帯）の搬送波を入力データでＦＳＫ変調するＦＳＫ変調器８０ｂと、これらを選択的に動作させると共に、ＦＳＫ変調器８０ｂの動作時に、各チャンネルプロセッサ３０から入力される制御信号に基づき当該ヘッドエンド１０から出力されるテレビ放送信号のチャンネル数（波数）を検出して、その波数データをＦＳＫ変調器８０ｂに出力するマイクロコンピュータ（以下、マイコンという）９０と、が設けられている。
【００６１】
ここで、信号発生器７０ｂが発生するパイロット信号は、端末側の伝送線路に設けられた増幅器側で、パイロット信号の信号レベルから伝送信号の信号レベルを推定して、伝送信号を所定レベルまで増幅するのに使用されるものである。
【００６２】
また、波数データは、端末側の伝送線路に設けられた増幅器が、伝送信号を検波した検波電圧に基づきその信号レベルを調整するように構成されている場合に、その目標電圧を設定するのに使用されるものである。
【００６３】
つまり、伝送信号を検波することにより得られる検波電圧は、伝送信号の総合電力に対応し、伝送信号に含まれるテレビ放送信号の数（つまり波数）が多くなると総合電力も大きくなる。
【００６４】
このため、伝送信号を検波した検波電圧に基づき、各テレビ放送信号の信号レベルを目標レベルに制御するには、その制御目標である検波電圧の目標値を、波数が多い程大きくする必要がある。
【００６５】
そこで、本実施形態では、端末側にこのような増幅器が設けられている場合には、ＦＳＫ変調器８０ｂにて波数データをＦＳＫ変調し、そのＦＳＫ変調された信号を端末側に伝送することで、端末側の増幅器に波数を通知するようにされているのである。
【００６６】
なお、マイコン９０は、図示しないモード切換スイッチを介して設定される動作モードに従い、信号発生器７０ｂ、ＦＳＫ変調器８０ｂの何れかを選択的に動作させる。
また次に、光型出力ユニット６０ｂには、混合回路４２から入力された伝送信号に信号発生器７０ｂからのパイロット信号を重畳する混合器７２ｂと、この混合器７２ｂからの伝送信号の入力レベルを調整するレベル調整器７４ｂと、レベル調整器７４ｂにてレベル調整された伝送信号を増幅する増幅器７６ｂと、増幅器７６ｂにて増幅された伝送信号にＦＳＫ変調器８０ｂからの波数信号を重畳する混合器７８ｂと、混合器７８ｂから出力された伝送信号を増幅する増幅器８２ｂと、増幅器８２ｂにて増幅された伝送信号を光信号に変換するレーザダイオード（ＬＤ）等からなる光電変換素子８６と、増幅器８２ｂと光電変換素子８６との間に設けられ、伝送信号の一部を分岐して分岐端子８４ｔから出力させる分岐器８４と、が設けられている。
【００６７】
そして、光電変換素子８６にて光信号に変換された伝送信号は、光型出力ユニット６０ｂに設けられた光コネクタ６９からケース１２に設けられた光コネクタ１８へと光ケーブル１８ａを介して出力される。
【００６８】
次に、図４に示すように、上記光型出力ユニット６０ｂに代えてヘッドエンド１０内に装着可能な同軸型出力ユニット６０ａには、光型出力ユニット６０ｂと同様、信号発生器（ＰＧ）７０ａ、ＦＳＫ変調器８０ａ及びマイコン９０が設けられている。
【００６９】
また、伝送信号入力端子６２から伝送信号出力端子６８に至る信号経路上には、光型出力ユニット６０ｂと同様、伝送信号入力端子６２側から順に、混合器７２ａ、レベル調整器７４ａ、増幅器７６ａ、混合器７８ａ、及び、増幅器８２ａが設けられている。
【００７０】
そして、この増幅器８２ａにて増幅された伝送信号は、レベル調整用の可変アッテネータ（可変ＡＴＴ）８８を介して、伝送信号出力端子６８（延いては同軸コネクタ１６）へ出力される。
【００７１】
一方、図５に示すように、同軸型出力ユニット６０ａや光型出力ユニット６０ｂに代えてヘッドエンド１０内に装着可能な光・同軸型出力ユニット６０ｃには、他の出力ユニット６０ａ、６０ｂと同様、信号発生器（ＰＧ）７０ａ、７０ｂ、ＦＳＫ変調器８０ａ、８０ｂ、及び、マイコン９０が設けられると共に、混合回路４２から伝送信号出力端子５２及び伝送信号入力端子６２を介して入力された伝送信号を２分配する分配器７１が設けられている。
【００７２】
そして、この分配器７１の一方の出力端子から伝送信号出力端子６８に至る信号経路上には、同軸型出力ユニット６０ａと同様、分配器７１側から順に、混合器７２ａ、レベル調整器７４ａ、増幅器７６ａ、混合器７８ａ、増幅器８２ａ、及び、可変ＡＴＴ８８が設けられている。
【００７３】
また、分配器７１の他方の出力端子から光コネクタ６９に至る信号経路上には、光型出力ユニット６０ｂと同様、分配器７１側から順に、混合器７２ｂ、レベル調整器７４ｂ、増幅器７６ｂ、混合器７８ｂ、増幅器８２ｂ、分岐器８４、及び、光電変換素子８６が設けられている。
【００７４】
なお、光・同軸型出力ユニット６０ｃには、光出力／同軸出力兼用であり、各信号出力用として信号発生器７０ａ、７０ｂ及びＦＳＫ変調器８０ａ、８０ｂがそれぞれ設けられていることから、マイコン９０は、これらの動作をそれぞれ制御する。
【００７５】
以上説明したように、本実施形態のヘッドエンド１０においては、筐体であるケース１２に、伝送信号出力用のコネクタとして同軸コネクタ１６及び光コネクタ１８をそれぞれ装着可能な装着部が形成され、その装着部に同軸コネクタ１６及び光コネクタ１８が取り付けられている。
【００７６】
また、ケース１２内には、出力ユニット６０を着脱自在に装着するためのスペースが設けられており、このスペースに、同軸型出力ユニット６０ａ、光型出力ユニット６０ｂ、光・同軸型出力ユニット６０ｃのいずれかを収納して、ケース１２内に固定すれば、ヘッドエンド１０を、同軸出力型、光出力型、或いは光・同軸出力兼用のヘッドエンド装置として使用することができる。
【００７７】
従って、本実施形態のヘッドエンド１０によれば、例えば、図６に例示するように、受信アンテナ２にて受信されたテレビ放送信号をチャンネル毎に信号処理して送信アンテナ４から再送信させるテレビ放送再送信システムにおけるヘッドエンド装置として使用する場合、内部に収納する出力ユニット６０を適宜選択するだけで、下記ａ）〜ｃ）のいずれのシステムでも使用することができるようになる。
【００７８】
ａ）受信アンテナ２と送信アンテナ４との間の距離が短いので、受信アンテナ２の近傍に設置したヘッドエンド１０から送信アンテナ４には、同軸ケーブルを使って受信信号（電気信号）を伝送するようにしたテレビ放送再送信システム（図６（ａ）参照）。
【００７９】
ｂ）受信アンテナ２と送信アンテナ６との間の距離が長いので、受信アンテナ２の近傍に設置したヘッドエンド１０から送信アンテナ６には、光ケーブルを使って受信信号（光信号）を伝送し、更に、送信アンテナ６近傍では光電気変換器（Ｏ／Ｅ）８を使って光信号を電気信号に変換するようにしたテレビ放送再送信システム（図６（ｂ）参照）。
【００８０】
ｃ）受信アンテナ２の近傍に設置された送信アンテナ４と、受信アンテナ２の遠くに設置された送信アンテナ６とを使って、複数のエリアにテレビ放送信号を再送信するために、受信アンテナ２の近傍に設置したヘッドエンド１０から送信アンテナ４には、同軸ケーブルを使って受信信号（電気信号）を伝送し、同一のヘッドエンド１０から送信アンテナ６には、光ケーブルを使って受信信号（光信号）を伝送し、更に送信アンテナ６近傍では光電気変換器（Ｏ／Ｅ）８を使って光信号を電気信号に変換するようにしたテレビ放送再送信システム（図６（ｃ）参照）。
【００８１】
よって本実施形態のヘッドエンド１０によれば、従来のヘッドエンド装置に比べ用途を拡大することができ、ヘッドエンド１０の量産化を図り、そのコストを低減することができるようになる。
【００８２】
また、システムの仕様変更に伴い伝送線路の変更、追加等を行う際には、内部の出力ユニット６０を交換するだけで対応できるため、システムの仕様変更等も低コストで行うことができる。
【００８３】
また更に、出力ユニット６０は簡単且つ短時間で交換できるので、既サービスの提供を停止（長時間停止）することなくシステムの更新・増設・変更ができる。
また次に、本実施形態のヘッドエンド１０において、出力混合部４０には、ケース１２内に出力ユニット６０が装着された際に、出力ユニット６０の底部に設けられた伝送信号入力端子６２、制御信号入力端子６４及び電源入力端子６６と嵌合して電気的に接続され、出力ユニット６０に伝送信号、制御信号及び電源電圧を入力する、伝送信号出力端子５２、制御信号出力端子５４及び電源出力端子５６が設けられている。
【００８４】
このため、本実施形態のヘッドエンド１０によれば、ケース１２内に出力ユニット６０を装着した際に、出力ユニット６０に伝送信号や電源電圧を入力するための信号線接続作業を行う必要がなく、出力ユニット６０の装着作業を簡単に行うことができる。
【００８５】
なお、本実施形態においては、チャンネルプロセッサ３０が、本発明の放送信号処理手段に相当し、出力混合部４０が、本発明の混合手段に相当し、同軸型、光型、光・同軸型の各出力ユニット６０（６０ａ、６０ｂ、６０ｃ）が、本発明の伝送信号出力手段に相当し、電源部４５が、本発明の電源供給手段に相当し、ケース１２内の出力ユニット６０装着用スペース及び固定部１２ａ、１２ｂが、本発明の出力ユニット装着部に相当する。
【００８６】
以上、本発明の一実施形態について説明したが、本発明は、上記実施形態に限定されるものではなく、本発明の要旨を逸脱しない範囲内にて種々の態様をとることができる。
例えば、上記実施形態では、ヘッドエンド１０のケース１２内に収納可能な出力ユニット６０は、同軸型、光型、光・同軸型の３種類であると説明したが、図７に示すように、ケース１２内には、同軸型出力ユニット６０ａを収納しておき、必要に応じて、その同軸型出力ユニット６０ａの上に光追加型出力ユニット６０ｄを載置することで、ヘッドエンド１０を、同軸出力型若しくは光・同軸出力型として使用できるようにしてもよい。
【００８７】
そして、このためには、同軸型出力ユニット６０ａ及び光追加型出力ユニット６０ｄを、図８に示すように構成すればよい。
すなわち、図８に示す同軸型出力ユニット６０ａには、図４に示したものと同様に、信号発生器７０ａ、ＦＳＫ変調器８０ａ、マイコン９０、混合器７２ａ、レベル調整器７４ａ、増幅器７６ａ、混合器７８ａ、増幅器８２ａ、及び、可変ＡＴＴ８８が設けられる他、伝送信号出力端子５２及び伝送信号入力端子６２を介して入力された伝送信号を２分配する分配器７１が設けられている。
【００８８】
そして、この同軸型出力ユニット６０ａは、分配器７１の一方の出力端子から出力された伝送信号を混合器７２ａに入力し、分配器７１の他方の出力端子から出力された伝送信号を、切換スイッチＳＷ１を介して伝送信号出力端子６３から光追加型出力ユニット６０ｄへ出力し、更に、マイコン９０から出力された制御信号及び電源電圧を制御信号出力端子６５及び電源出力端子６７を介して光追加型出力ユニット６０ｄへ出力するように構成されている。
【００８９】
なお、これら各端子６３、６５、６７は、同軸型出力ユニット６０ａの上面に設けられており、光追加型出力ユニット６０ｄを載置した際に、光追加型出力ユニット６０ｄに設けられた伝送信号入力端子９３、制御信号入力端子９５、電源入力端子９７と嵌合して電気的に接続されるようになっている。
【００９０】
また、切換スイッチＳＷ１は、同軸型出力ユニット６０ａに光追加型出力ユニット６０ｄが載置されていない通常時には、分配器７１の出力を伝送信号の伝送インピーダンスを有する終端抵抗Ｒにて終端し、同軸型出力ユニット６０ａに光追加型出力ユニット６０ｄが載置されると、マイコン９０からの指令（若しくは接点の機械的な動き）によって分配器７１の出力と伝送信号出力端子６３とを接続するようにされている。
【００９１】
一方、光追加型出力ユニット６０ｄには、図３に示した光型出力ユニット６０ｂと同様に、信号発生器７０ｂ、ＦＳＫ変調器８０ｂ、混合器７２ｂ、レベル調整器７４ｂ、増幅器７６ｂ、混合器７８ｂ、増幅器８２ｂ、分岐器８４、光電変換素子８６が設けられている。
【００９２】
そして、混合器７８ｂには、伝送信号入力端子９３を介して伝送信号が入力され、信号発生器７０ｂ及びＦＳＫ変調器８０ｂには、制御信号入力端子９５を介して、マイコン９０からの制御信号が入力され、更に、内部回路各部には、電源入力端子９７から入力された電源電圧が供給されるようになっている。
【００９３】
このため、光追加型出力ユニット６０ｄは、同軸型出力ユニット６０ａの上に載置すれば、図３に示した光型出力ユニット６０ｂと同様に動作し、伝送信号を光信号に変換して、光コネクタ６９から光ケーブル１８ａを介してケース１２に設けられた光コネクタ１８へと出力できるようになる。
【００９４】
なお、このように、光追加型出力ユニット６０ｄを同軸型出力ユニット６０ａの上部に載置して光・同軸出力型のヘッドエンド１０を構成する場合、図７に示すように、光追加型出力ユニット６０ｄの長手方向一端には、同軸型出力ユニット６０ａの固定部６１ｂと一緒にケース１２の固定部１２ｂに固定するための固定部６１ｃを設け、更に、同軸型出力ユニット６０ａのもう一方の固定部６１ａは、光追加型出力ユニット６０ｄの他端に係合して光追加型出力ユニット６０ｄを位置決めできるように形成するとよい。
【００９５】
つまり、このようにすれば、同軸型出力ユニット６０ａの上部に形成される出力ユニット装着部に、光追加型出力ユニット６０ｄをしっかりと固定することができるようになる。
【００９６】
また、図８に示す同軸型出力ユニット６０ａには、分配器７１の出力と伝送信号出力端子６３との間に切換スイッチＳＷ１を設けられており、光追加型出力ユニット６０ｄが装着されているときには、切換スイッチＳＷ１を介して、分配器７１で分配された伝送信号を光追加型出力ユニット６０ｄに出力し、光追加型出力ユニット６０ｄが装着されていないときには、切換スイッチＳＷ１を介して、分配器７１の出力を終端抵抗Ｒで終端するものとして説明したが、図９に示すように、伝送信号入力端子６２と混合器７２ａとの間に、経路切換用の２つの切換スイッチＳＷ２，ＳＷ３を設けて、伝送信号の入力経路を切り換えるようにしてもよい。
【００９７】
すなわち、図９に示す同軸型出力ユニット６０ａにおいては、光追加型出力ユニット６０ｄが装着されているときには、マイコン９０が切換スイッチＳＷ２、ＳＷ３を図２に示すように切り換えることにより、伝送信号入力端子６２から入力された伝送信号を、切換スイッチＳＷ２及び増幅器ＡＭＰを介して分配器７１に入力させて、分配器７１からの一方の出力を直接伝送信号出力端子６３から光追加型出力ユニット６０ｄ側に出力させ、分配器７１からの他方の出力を、切換スイッチＳＷ３を介して混合器７２ａに入力させる。
【００９８】
一方、光追加型出力ユニット６０ｄが装着されていないときには、マイコン９０が切換スイッチＳＷ２、ＳＷ３を図９とは反対側に切り換えることにより、伝送信号入力端子６２から入力された伝送信号を、切換スイッチＳＷ２及びＳＷ３を介して直接混合器７２ａに入力させる。
【００９９】
そして、このようにすれば、光追加型出力ユニット６０ｄが装着されているときには、伝送信号を分配器７１で分配して光追加型出力ユニット６０ｄと混合器７２ａとに入力することができ、光追加型出力ユニット６０ｄが装着されていないときには、伝送信号を分配することなく混合器７２ａに入力することができることから、光追加型出力ユニット６０ｄが装着されていないときに、終端抵抗Ｒを用いることなく、分配器７１から伝送信号が漏れ出すのを防止することができる。
【０１００】
なお、図９に示す同軸型出力ユニット６０ａにおいて、増幅器ＡＭＰが設けられているのは、光追加型出力ユニット６０ｄの有無によって混合器７２ａへの伝送信号の入力経路が切り換えられるためである。つまり、混合器７２ａに入力される伝送信号には、光追加型出力ユニット６０ｄが装着されているときにだけ、分配器７１による分配損失が生じるころから、増幅器ＡＭＰは、その分配損失を補うために設けられている。
【０１０１】
また次に、図７〜図９を用いて説明したヘッドエンド１０では、ヘッドエンド１０のケース１２内には、同軸型出力ユニット６０ａが設けられており、必要に応じて、その同軸型出力ユニット６０ａの上に光追加型出力ユニット６０ｄを載置することで、ヘッドエンド１０を同軸出力型或いは光・同軸出力型として使用できるものとして説明したが、これとは逆に、ヘッドエンド１０のケース１２内には、光型出力ユニット６０ｂが設けられており、必要に応じて、その光型出力ユニット６０ｂの上に同軸追加型出力ユニットを載置することで、ヘッドエンド１０を光出力型或いは光・同軸出力型として使用できるようにしてもよい。
【０１０２】
なお、このようにするには、光型出力ユニット６０ｂには、図８又は図９に示した同軸型出力ユニット６０ａと同様、図３に示したものに対し、分配器７１、切換スイッチＳＷ１、及び終端抵抗Ｒを設けるか、或いは、切換スイッチＳＷ１，ＳＷ３、増幅器ＡＭＰ、及び分配器７１を設けることで、伝送信号を内部回路と同軸追加型出力ユニットとに分配できるようにし、更に、伝送信号出力端子６３、制御信号出力端子６５、電源出力端子６７を設けて、分配後の伝送信号、マイコン９０からの制御信号、及び電源電圧を同軸追加型出力ユニットに出力できるようにすればよい。
【０１０３】
また、同軸追加型出力ユニットについては、図４に示した同軸型出力ユニット６０ａと略同様に構成し、可変ＡＴＴ８８から出力される伝送信号をケース１２に設けられた同軸コネクタ１６へ出力するための端子（同軸コネクタ等）を設けるようにすればよい。
【図面の簡単な説明】
【０１０４】
【図１】実施形態のヘッドエンドの概略構成を表す構成図である。
【図２】図１に示すＡ−Ａ線断面図である。
【図３】光型出力ユニットをケース内に装着した際のヘッドエンド全体の回路構成を表すブロック図である。
【図４】同軸型出力ユニットの回路構成を表すブロック図である。
【図５】光・同軸型出力ユニットの回路構成を表すブロック図である。
【図６】実施形態のヘッドエンドを用いたテレビ放送再送信システムの構成例を説明する説明図である。
【図７】図２に対応してヘッドエンドの他の構成例を表す説明図である。
【図８】図７に示した同軸型及び光追加型出力ユニットの回路構成を表すブロック図である。
【図９】図８に示した同軸型出力ユニットの回路構成の変形例を表すブロック図である。
【符号の説明】
【０１０５】
２…受信アンテナ、４，６…送信アンテナ、１０…ヘッドエンド、１２…ケース、１２ａ，１２ｂ…固定部、１４…同軸コネクタ（信号入力）、１６…同軸コネクタ（信号出力）、１８…光コネクタ（光出力）、１８ａ…光ケーブル、１９…電源コード、２０…入力部、２２…保護回路、２４…レベル調整器、２６…増幅回路、２８…分配回路、３０…チャンネルプロセッサ、３４…プロセッサユニット、３６…分岐回路、３８…停波判定部、４０…出力混合部、４２…混合回路、４５…電源部、５２…伝送信号出力端子、５４…制御信号出力端子、５６…電源出力端子、５８…伝送信号入力端子、６０…出力ユニット、６０ａ…同軸型出力ユニット、６０ｂ…光型出力ユニット、６０ｃ…光・同軸型出力ユニット、６０ｄ…光追加型出力ユニット、６１ａ，６１ｂ，６１ｃ…固定部、６２，９３…伝送信号入力端子、６３，６８…伝送信号出力端子、６４，９５…制御信号入力端子、６５…制御信号出力端子、６６，９７…電源入力端子、６７…電源出力端子、６９…光コネクタ、７０ａ，７０ｂ…信号発生器、７１…分配器、７２ａ，７２ｂ…混合器、７４ａ，７４ｂ…レベル調整器、７６ａ，７６ｂ…増幅器、７８ａ，７８ｂ…混合器、８０ａ，８０ｂ…ＦＳＫ変調器、８２ａ，８２ｂ…増幅器、８４…分岐器、８４ｔ…分岐端子、８６…光電変換素子、８８…可変ＡＴＴ、９０…マイコン、ＡＭＰ…増幅器、Ｒ…終端抵抗、ＳＷ１，ＳＷ２，ＳＷ３…切換スイッチ。
【図１】
2009177235.tif 000003
【図２】
2009177235.tif 000004
【図３】
2009177235.tif 000005
【図４】
2009177235.tif 000006
【図５】
2009177235.tif 000007
【図６】
2009177235.tif 000008
【図７】
2009177235.tif 000009
【図８】
2009177235.tif 000010
【図９】
2009177235.tif 000011